(57)【特許請求の範囲】
【請求項１】
流入口と流出口とを有しかつ外周上部の上面が床上面側に露出する阻集器本体内に、バケットと整流板とを配置した阻集器において、
前記阻集器本体の周囲壁の上端から外方に突出した外周上部を形成し、この外周上部の外端から外下向きに突出して前記周囲壁と外周上部とともにシンダーコンクリートによる防水壁を形成しかつシンダーコンクリート内に埋設される外周縁部を形成していることを特徴とする阻集器。
【請求項２】
流入口と流出口とを有しかつ外周上部の上面が床上面側に露出する阻集器本体内に、バケットと整流板とを配置した阻集器において、
前記阻集器本体の周囲壁の上端から外方に突出した外周上部を形成し、この外周上部の外端から下向きに突出して前記周囲壁と外周上部とともにシンダーコンクリートによる防水壁を形成する縦壁を形成し、この縦壁の下部から外方に前記外周上部よりも１段低くかつシンダーコンクリート内に埋設される外周縁部を形成し、前記縦壁と外周縁部の内の少なくとも外周縁部上にシール材を接着していることを特徴とする阻集器。
【請求項３】
阻集器本体の外周上部の外側にそれよりも低い外周縁部を形成しておき、この阻集器本体をスラブコンクリートの上側に設置し、シンダーコンクリートを阻集器本体の外周と外周上部と外周縁部との間を埋めかつ外周縁部の上側まで打つことを特徴とする阻集器の設置方法。
【請求項４】
スラブコンクリートの上側に防水層を形成し、この防水層上に流入口、流出口、外周上部、この外周上部から下向きに延設した縦壁及びこの縦壁の下部から前記外周上部よりも１段低く外方突出された外周縁部を有する阻集器本体を設置し、この阻集器本体の縦壁と外周縁部の内の少なくとも外周縁部の上面にシール材を接着し、前記阻集器本体を埋めると共に阻集器本体の外周と外周上部と外周縁部との間を埋めかつ外周縁部の上側までシンダーコンクリートを打つことを特徴とする阻集器の設置方法。
【請求項５】
スラブコンクリートの上面にアンカ固定部材を固定すると共に防水層を形成し、この防水層上に流入口、流出口、外周上部、この外周上部から下向きに延設した縦壁及びこの縦壁の下部から前記外周上部よりも１段低く外方突出した外周縁部を有する阻集器本体を設置して前記アンカ固定部材に固定し、この阻集器本体の縦壁と外周縁部の内の少なくとも外周縁部の上面にシール材を接着し、前記阻集器本体を埋めると共に阻集器本体の外周と外周上部と外周縁部との間を埋めかつ外周縁部の上側までシンダーコンクリートを打ち、前記シール材とシンダーコンクリートとを接合させることを特徴とする阻集器の設置方法。
【発明の詳細な説明】
【０００１】
【発明の属する技術分野】
本発明は、厨房等で雑排水の処理を行う阻集器及びその設置方法に関するものである。
【０００２】
【従来の技術】
飲食店等の厨房においては、雑排水から食物残渣及び油脂を取り除くために、雑排水処理層又はグリーストラップ等と称されるグリース阻集器が設置されている。
この阻集器には厚型と薄型とがあり、厚型阻集器は基礎床を形成するスラブコンクリートに開口を形成しておいて、その開口に阻集器を挿入して設置し、阻集器の外周上部より上方まで表面床を形成するシンダーコンクリート（仕上げ用土間コンクリート）を打っており、薄型阻集器は阻集器本体をスラブコンクリート上に配置して、その外周上部より僅かに上方までシンダーコンクリートを打って設置している。
【０００３】
図６に示す薄型阻集器は、阻集器本体２の外周上部３上に点検蓋１９を配置するための点検蓋枠２０を嵌合し、この点検蓋枠２０の上面と同高さまでシンダーコンクリート１０を打ち、点検蓋枠２０から外方突出した埋設杆２１を埋設するようになっている。
【０００４】
【発明が解決しようとする課題】
ところで、シンダーコンクリート１０等のコンクリートは乾燥すると若干縮小し、また、阻集器形成素材との接合性が良くないものである。そのため、前記従来技術の特に薄型阻集器においては、点検蓋枠２０及び阻集器本体２の外周上部３がシンダーコンクリート１０から露出している部分では、その外周上部３とシンダーコンクリート１０との間に僅少間隙２２が発生し、その間隙２２から水が浸透し、阻集器の外周面を伝ってスラブコンクリートに至り、阻集器の周囲、シンダーコンクリート１０と防水層１３との間等に溜まり、悪臭、コンクリートの劣化の発生原因となることがある。
【０００５】
厚型阻集器においては、阻集器本体の外周上部をシンダーコンクリート内に埋設しているが、外周上部の上面とシンダーコンクリートとの密着性が低いので、前記薄型阻集器と略同様に前記問題が発生することがある。
本発明は、阻集器本体の外周上部の外側にそれより低い外周縁部を形成して、コンクリートの防水壁を形成すると共にコンクリートと外周縁部との密着性を確保することにより、浸入水の阻集器本体側へのまわり込みを防止でき、また、外周縁部上にシール材を設けることにより、水浸入をより確実に防止できるようにした阻集器及びその設置方法を提供することを目的とする。
【０００６】
【課題を解決するための手段】
本発明物における課題解決のための第１の具体的手段は、流入口６と流出口７とを有しかつ外周上部３の上面が床上面側に露出する阻集器本体２内に、バケット８と整流板９とを配置した阻集器において、
前記阻集器本体２の周囲壁２ｂの上端から外方に突出した外周上部３を形成し、この外周上部３の外端から下向きに突出して前記周囲壁２ｂと外周上部３とともにシンダーコンクリートによる防水壁２９を形成しかつシンダーコンクリート内に埋設される外周縁部５を形成していることである。
【０００７】
これによって、阻集器を設置してシンダーコンクリート１０を打ち込んだ状態で、阻集器本体２の最外端である外周縁部５より内周側の外周上部３対向部位にシンダーコンクリート１０の上向き突出部が形成され、これが防水壁となって浸水を防止し、外周縁部５がシンダーコンクリート１０に埋設されてその上面にシンダーコンクリート１０が位置し、シンダーコンクリート１０が収縮しても密着性が保持される。
本発明物における課題解決のための第２の具体的手段は、流入口６と流出口７とを有しかつ外周上部３の上面が床上面側に露出する阻集器本体２内に、バケット８と整流板９とを配置した阻集器において、
前記阻集器本体２の周囲壁２ｂの上端から外方に突出した外周上部３を形成し、この外周上部３の外端から下向きに突出して前記周囲壁２ｂと外周上部３とともにシンダーコンクリートによる防水壁２９を形成する縦壁４を形成し、この縦壁４の下部から外方に前記外周上部３よりも１段低くかつシンダーコンクリート１０内に埋設される外周縁部５を形成し、前記縦壁４と外周縁部５の内の少なくとも外周縁部５上にシール材１１を接着していることである。
【０００８】
これによって、外周縁部５とシンダーコンクリート１０との密着性は、シール材１１によって接着となり、強制的かつ確実的な浸水防止が行われる。
本発明方法における課題解決のための第１の具体的手段は、阻集器本体２の外周上部３の外側にそれより低い外周縁部５を形成しておき、この阻集器本体２をスラブコンクリート１２の上側に設置し、シンダーコンクリート１０を阻集器本体２の外周と外周上部３と外周縁部５との間を埋めかつ外周縁部５の上側まで打つことである。
【０００９】
これによって、外周縁部５より内周側のシンダーコンクリート１０の上向き突出状防水壁及び外周縁部５とシンダーコンクリート１０との密着構造が、従来技術から特別な工程を必要とすることなく、簡単かつ容易に施工できる。
本発明方法における課題解決のための第２の具体的手段は、スラブコンクリート１２の上側に防水層１３を形成し、この防水層１３上に流入口６、流出口７、外周上部３、この外周上部３から下向きに延設した縦壁４及びこの縦壁４の下部から前記外周上部３よりも１段低く外方突出された外周縁部５を有する阻集器本体２を設置し、この阻集器本体２の縦壁４と外周縁部５の内の少なくとも外周縁部５の上面にシール材１１を接着し、前記阻集器本体２を埋めると共に阻集器本体２の外周と外周上部３と縦壁４との間を埋めかつ外周縁部５の上側までシンダーコンクリート１０を打つことである。
【００１０】
これによって、シンダーコンクリート１０を打ち込んで阻集器を設置すると、外周縁部５より内周にシンダーコンクリート１０の上向き突出状防水壁が自動的に形成され、外周縁部５とシンダーコンクリート１０とはシール材１１によって接合され、確実な密着がえられる。
本発明方法における課題解決のための第３の具体的手段は、スラブコンクリート１２の上面にアンカ固定部材１４を固定すると共に防水層１３を形成し、この防水層１３上に流入口６、流出口７、外周上部３、この外周上部３から下向きに延設した縦壁４及びこの縦壁４の下部から前記外周上部３よりも１段低く外方突出した外周縁部５を有する阻集器本体２を設置して前記アンカ固定部材１４に固定し、この阻集器本体２の縦壁４と外周縁部５の内の少なくとも外周縁部５の上面にシール材１１を接着し、前記阻集器本体２を埋めると共に阻集器本体２の外周と外周上部３と縦壁４との間を埋めかつ外周縁部５の上側までシンダーコンクリート１０を打ち、前記シール材１１とシンダーコンクリート１０とを接合させることである。
【００１１】
これによって、阻集器本体２は防水層１３によって防水され、アンカ固定部材１４によってスラブコンクリート１２に確実に固定され、上向き突出状防水壁２９が形成され、外周縁部５とシンダーコンクリート１０とがシール材１１によって確実な接合状態となる。
【００１２】
【実施の形態】
以下、本発明の実施の形態を図面に基づいて説明する。
図１〜５において、１は厨房の床に設置される薄型の阻集器を示しており、この阻集器１は、阻集器本体２、バケット８、整流板９、点検蓋１９、点検蓋枠２０及びアンカ固定部材１４等を有し、これらは鉄板、ステンレス、アルミ合金又は強化プラスチック等で適宜形成されている。
阻集器本体２は底部２ａ及び周囲壁２ｂを有する上開放箱形状であり、周囲壁２ｂの上端から外方に突出した略水平状の外周上部３、この外周上部３の外端から略垂直に下向きに突出した縦壁４、この縦壁４の下端から外方に略水平状に突出した外周縁部５等を有し、一側には切欠形状の流入口６が形成されている。
【００１３】
前記縦壁４及び外周縁部５は、阻集器本体２の外周上部３の全周囲に間断なく形成され、流入口６の下縁にも形成されている。
前記阻集器本体２内は３枚の整流板９によって４つの部屋に分けられており、流入口６側の第１の部屋には固形物取り出し用のバケット８が配置されており、バケット８及び整流板９は取り出して清掃、取り替えが可能になっている。
阻集器本体２の流入口６と反対側の部屋には流出部材２３が設けられていて排水管２４と接続されており、この流出部材２３は図３に２点鎖線で示すように、横向きに配置して排水方向を変更してもよい。また、この流出部材２３には内部清掃用の掃除口が形成されていて、蓋２５によって閉鎖されている。
【００１４】
前記外周縁部５は外周上部３に対して略平行な面（水平面）となっており、この外周縁部５の上面には、阻集器本体２をスラブコンクリート１２上に載置する前に、又は後に可撓性のシール材１１（粘着シート、粘着テープ）が接着されている。
このシール材１１は両面に剥離ライナを有する両面テープ状のものであり、片側の剥離ライナを剥離して全周の外周縁部５に接着し、シンダーコンクリート１０を打ち込むときに他方の剥離ライナを剥離する。
【００１５】
図５に示すシール材１１は、外周縁部５上面から縦壁４の外面まで延設されており、縦壁４とシンダーコンクリート１０の接着もするようになっているが、少なくとも外周縁部５上面に適宜幅（例えば、１〜３ｃｍ）に設けておけばよい。
前記シール材１１としては、エチレン・プロピイレンゴム、ブチルゴム、ブチル再生合成ゴム等の接着性ゴムが使用でき、非加硫型でも加硫型でもよく、阻集器本体２材料とシンダーコンクリート１０とを強力に接合でき、耐候性、耐水性に優れかつシンダーコンクリート１０の表面の凹凸を埋めるような比較的ボリュウムのある接着剤が使用される。
【００１６】
点検蓋枠２０は外周上部３に載置される４角枠形状で、阻集器本体２と同様な材料が使用でき、通常は鉄板又はステンレス板等の金属板が使用され、断面Ｌ字形状の枠体２０ａと、枠体２０ａの水平部分（外周上部３と接触する部分）の上に板材２０ｂが固着されており、この板材２０ｂで点検蓋１９の位置設定をしており、その上面は点検蓋１９と略面一になっている。
前記点検蓋１９は図１では２枚、図３では３枚を図示しているが、１枚又は４枚以上でもよい。また、整流板９も１枚、２枚又は４枚以上でもよい。
【００１７】
枠体２０ａの垂直部分は縦壁４に沿っており、この垂直部分には周方向間隔をおいて多数の埋設杆２１が外方突出状に固着されており、この埋設杆２１はシンダーコンクリート１０を打ち込むとシンダーコンクリート１０内に埋設され、阻集器本体２の上側の取付け手段となっている。
なお、点検蓋枠２０は強化プラスチックで形成する場合は、枠体２０ａ、板材２０ｂを一体成形してもよい。また、点検蓋枠２０を設ける代わりに阻集器本体２の外周上部３に点検蓋枠部を一体形成してもよい。
【００１８】
阻集器本体２の周囲壁２ｂの底部２ａ近傍には、前後・左右４ヵ所にブラケット２６が取付けられており、このブラケット２６を介してアンカ固定部材１４に取付けられる。
アンカ固定部材１４は板材をＨ形状にしたものであり、４隅にアンカボルト２７を有し、施工後のスラブコンクリート１２の表面を削って、又はスラブコンクリート１２を打ち込むときに埋め込んで、スラブコンクリート１２に対してビス固定しており、その上に阻集器本体２を載置して、アンカボルト２７にブラケット２６を嵌合し、ナットで締結している。
【００１９】
次に、前記阻集器１の設置方法について説明する。
建物の基礎床であるスラブコンクリート１２を施工するときにアンカ固定部材１４を取付け、又は施工されたスラブコンクリート１２の表面を削ってアンカ固定部材１４を取付け、それらの表面に防水材を敷設して防水層１３を形成し、その上に阻集器本体２を配置してアンカ固定部材１４に固定する。
阻集器本体２をスラブコンクリート１２に位置設定した後、外周縁部５の上にシール材１１を張り付け、剥離ライナを剥離し、その後、外周上部３の上に点検蓋枠２０を載置する。
【００２０】
そして阻集器本体２の周囲に点検蓋枠２０と略等高さまでシンダーコンクリート１０を打ち込み、外周縁部５及び埋設杆２１を埋設すると共に流入口６に対向する位置に排水溝２８を形成し、仕上げ床を完成する。
この際、阻集器本体２の周囲壁２ｂと外周上部３と縦壁４とで形成される空間を埋めるようにシンダーコンクリート１０が流入され、これにより防水壁２９が形成される。また、流入口６の下部にはシンダーコンクリート１０が若干被さるように施工される。
【００２１】
厨房の雑排水は、排水溝２８から流入口６を通って阻集器本体２内に入り、バケット８で食物残渣等が取り除かれ、整流板９を通って第２〜４の部屋に順次入ることにより油脂が分離され、流出口７の流出部材２３から排水管２４へ排出される。
なお、本発明は前記実施の形態に限定されるものではなく、種々変形することができ、薄型阻集器だけではなく、厚型阻集器にもそのまま適用することができる。
【００２２】
外周縁部５は、外周上部３の外端から下向きの縦壁４を形成することにより外周上部３より１段低く形成されているが、外周上部３の外端から直接的に外下向き傾斜面を形成して、そこを外周上部３の上面より低い外周縁部５としてもよく、この場合も外周縁部５はシンダーコンクリート１０内に埋設され、外周縁部５と外周上部３と周囲壁２ｂとで空間が形成でき、防水壁２９を形成することができ、また、シール材１１の接着面も形成できる。
外周縁部５にシール材１１を接着するとシンダーコンクリート１０との接合が最良になるが、シール材１１がなくとも、阻集器本体２の周囲壁２ｂと外周上部３と縦壁４とで形成される空間を埋めたシンダーコンクリート１０によって、阻集器本体２の最外縁である外周縁部５よりも内周側に上向き突出状の防水壁２９が形成され、前記最外縁に水が浸入してきても、周囲壁２ｂ側へ染み込むのを食い止め、また、外周縁部５の上側にのるシンダーコンクリート１０は重力が加わっているので、収縮するときも外周縁部５を接触した状態が維持され、両者の間に従来技術のような隙間２２が形成されることがなく、従来技術よりも浸水を防止できる。
【００２３】
シール材１１は巻きテープ状にして、阻集器本体２に現物合わせ的に接着してもよいが、外周縁部５を同形状の四角枠形状に形成して、現場又は製造時に接着してもよい。
スラブコンクリート１２の上側に阻集器を配置する空間を形成する型枠を置いてシンダーコンクリート１０を施工し、型枠除去後に阻集器本体２を挿入して既設シンダーコンクリート１０との間にシンダーコンクリート１０を足して、阻集器１を設置することもできる。
【００２４】
また、阻集器本体２の周囲壁２ｂと外周上部３と縦壁４とで形成される空間にシンダーコンクリート１０が流れ込み難い場合は、外周上部３と点検蓋枠２０とを上下に貫通する空気逃がし孔を複数形成しておき、前記空間へのシンダーコンクリート１０の流れ込みが良好になるようにしておいてもよく、施工後に前記空気逃がし孔は栓をしておく。
阻集器本体２はアンカ固定部材１４に固定しておくことにより、シンダーコンクリート１０施工時の位置設定が確実にできるが、アンカ固定部材１４が無くとも、又は代わりの位置設定手段でも、シンダーコンクリート１０の施工は可能である。
【００２５】
【発明の効果】
以上詳述した本発明の阻集器によれば、外周上部３の外側にそれより低い外周縁部５を形成しているので、外周縁部５の内周側に防水壁２９を形成でき、また、外周縁部５はその上側のシンダーコンクリート１０と密着が確保でき、阻集器本体２周囲への水の回り込みを確実に防止でき、しかも、縦壁４と外周縁部５の内の少なくとも外周縁部５上にシール材１１を接着することにより、外周縁部５とシンダーコンクリート１０とを強制かつ確実に接合でき、浸水防止効果を高めることができる。
【００２６】
また、本発明の阻集器の設置方法によれば、スラブコンクリート１２上に阻集器１を配置してシンダーコンクリート１０を打ち込むだけで、阻集器本体２と外周縁部５との間に防水壁２９を形成でき、かつ外周縁部５をシンダーコンクリート１０内に埋設して外周縁部５の上面にシンダーコンクリート１０を接合でき、防水構造の施工が極めて簡単にでき、しかも、シール材１１は縦壁４と外周縁部５の内の少なくとも外周縁部５上に接着するだけであり、外周縁部５とシンダーコンクリート１０の接合が簡単にでき、さらにまた、スラブコンクリート１２に固定のアンカ固定部材１４に阻集器本体２を固定することにより、シンダーコンクリート１０の打ち込みが容易になり、阻集器１の位置設定も正確にできる。
【図面の簡単な説明】
【図１】  本発明の実施の形態を示す分解斜視図である。
【図２】  阻集器の設置状態の断面正面図である。
【図３】  阻集器の平面図である。
【図４】  阻集器の設置状態の断面側面図である。
【図５】  阻集器の外周上部の断面拡大図である。
【図６】  従来技術の阻集器の外周上部の断面拡大図である。
【符号の説明】
１      阻集器
２      阻集器本体
３      外周上部
４      縦壁
５      外周縁部
６      流入口
７      流出口
８      バケット
９      整流板
１０    シンダーコンクリート
１１    シール材
１２    スラブコンクリート
１３    防水層
１４    アンカ固定部材
２９    防水壁
【図１】
0003915948.tif 000002
【図２】
0003915948.tif 000003
【図３】
0003915948.tif 000004
【図４】
0003915948.tif 000005
【図５】
0003915948.tif 000006
【図６】
0003915948.tif 000007